(57)【要約】【課題】球貸し機と遊技機とを接続する接続コネクタの隙間を悪用する違法行為を確実に排除できる遊技機を提供する。【解決手段】玉貸し機２２に接続可能に構成された遊技機であって、玉貸し機２２との間で、制御信号ライン、グランドライン、及び電源ラインを接続する単一又は複数個の接続コネクタＣＮを設け、制御信号ラインを通して、玉貸し機２２に出力される制御出力信号ＥＸＳの電圧レベルに対応してＯＮ／ＯＦＦ動作するトランジスタＱａと、トランジスタＱａのＯＮ／ＯＦＦ動作に対応してＯＮ／ＯＦＦ動作するフォトカプラＰＣａと、を電源ラインとグランドラインとの間に配置すると共に、制御出力信号ＥＸＳの論理レベルと、フォトカプラＰＣａの出力信号の論理レベルとを論理比較して不正行為を検出するＸＯＲ回路を設けた。【選択図】図４
2011030926.tif 000002
【特許請求の範囲】
【請求項１】
遊技者から遊技媒体の貸出し依頼操作を受けると、遊技媒体の払出動作を遊技機に指示すると共に、前記払出動作に対応する清算処理を実行する外部機器に接続可能に構成された遊技機であって、
前記外部機器との間で、制御信号ライン、グランドライン、及び電源ラインを接続する単一又は複数個の接続コネクタを設け、
前記制御信号ラインを通して、前記外部機器に出力される制御出力信号の電圧レベルに対応してＯＮ／ＯＦＦ動作する第１スイッチ回路と、第１スイッチ回路のＯＮ／ＯＦＦ動作に対応してＯＮ／ＯＦＦ動作する第２スイッチ回路と、を電源ラインとグランドラインとの間に配置すると共に、
前記制御出力信号の論理レベルと、前記第２スイッチ回路の出力信号の論理レベルとを論理比較して不正行為を検出する検知回路を設けたことを特徴とする遊技機。
【請求項２】
前記電源ラインを通して伝送される電源電圧は、前記外部機器において生成される請求項１に記載の遊技機。
【請求項３】
第1スイッチ回路は、前記接続コネクタから前記制御出力信号を受けている請求項１又は２に記載の遊技機。
【請求項４】
第１スイッチ回路は、前記制御出力信号をゲート端子に受けるＦＥＴで構成されている請求項１〜３の何れかに記載の遊技機。
【請求項５】
前記ＦＥＴは、ＰチャネルＭＯＳＦＥＴである請求項４に記載の遊技機。
【請求項６】
第２スイッチ回路は、フォトカプラで構成されている請求項１〜５の何れかに記載の遊技機。
【請求項７】
前記制御出力信号は、フォトカプラを経由して、論理レベルを維持した状態で前記接続コネクタに伝送される請求項１〜６の何れかに記載の遊技機。
【請求項８】
前記検知回路は、排他的ＯＲ動作をするよう構成されている請求項１〜７の何れかに記載の遊技機。
【請求項９】
前記遊技媒体は、遊技球又は遊技メダルである請求項１〜８の何れかに記載の遊技機。
【請求項１０】
遊技媒体の払出動作を遊技機に指示する指示信号と、貸出し依頼操作に対応するスイッチ信号との論理関係を判定して、前記払出動作を開始するよう構成された請求項１〜８の何れかに記載の遊技機。
【発明の詳細な説明】
【技術分野】
【０００１】
本発明は、遊技球や遊技メダルなどの遊技媒体を使用する遊技機に関し、特に、球貸し動作を悪用した不正を未然に回避できる遊技機に関する。
【背景技術】
【０００２】
例えば、遊技媒体として遊技球を使用する弾球遊技機は、ＣＲ(Card Reader)機と現金機とに大別される。現状のＣＲ機では、遊技機に隣接する球貸し機に現金を投入した上で、遊技機の球貸しスイッチを押すと、例えば５００円分の遊技球が、遊技機から貸出されるようになっている。なお、本明細書では、「貸出す」とか「球貸し」との用語を使用するが、遊技機から遊技球が払出される点では、賞球動作と全く同じである。
【０００３】
ところで、球貸し機と弾球遊技機とは、例えば、６本の配線ケーブルを連結する接続コネクタを介して接続されている。この場合、接続コネクタを通して送受信される信号は、弾球遊技機からみると、通常、電源電圧入力ＶＬ、グランド入力ＬＧ、ＢＲＤＹ入力、ＢＲＱ入力、ＰＲＤＹ出力、ＥＸＳ出力の６個である。
【０００４】
また、この接続コネクタとは別ルートで、球貸しスイッチや返却スイッチの操作状態を示すスイッチ信号も、遊技機から球貸し機に伝送されている。
【０００５】
球貸し動作時には、先ず、球貸しスイッチのＯＮ操作を把握した球貸し機から、アクティブレベル（＝Ｌ）のＢＲＤＹ信号とＢＲＱ信号が連続して出力される（図６の動作（１）動作（２））。すると、ＢＲＱ信号のレベル変化に応答して、遊技機がアクティブレベル（＝Ｌ）のＥＸＳ信号を出力し（図６の動作（３））、ＢＲＱ信号が非アクティブレベルに戻ることを条件に（図６の動作（４））、遊技機は、２５個の球貸し動作を開始する。
【発明の概要】
【発明が解決しようとする課題】
【０００６】
遊技機と球貸し機とは、上記の手順で球貸し動作を実行するので、仮に、接続コネクタの隙間を悪用して、ＢＲＤＹ信号とＢＲＱ信号の信号ラインを適宜にグランドラインに接触させると、遊技機は、幾らでも球貸し動作を繰返すことになる。なお、かかる違法行為を排除するために、球貸し機でも、遊技機から出力されるＥＸＳ信号を監視しているが、このＥＸＳ信号が非アクティブレベルに固定されると、もはや違法行為を検出できないことになる。
【０００７】
本発明は、上記の問題点に鑑みてなされたものであって、球貸し機と遊技機とを接続する接続コネクタの隙間を悪用する違法行為を確実に排除できる遊技機を提供することを目的とする。
【課題を解決するための手段】
【０００８】
上記課題を解決するために、本発明は、遊技者から遊技媒体の貸出し依頼操作を受けると、遊技媒体の払出動作を遊技機に指示すると共に、前記払出動作に対応する清算処理を実行する外部機器に接続可能に構成された遊技機であって、前記外部機器との間で、制御信号ライン、グランドライン、及び電源ラインを接続する単一又は複数個の接続コネクタを設け、前記制御信号ラインを通して、前記外部機器に出力される制御出力信号の電圧レベルに対応してＯＮ／ＯＦＦ動作する第１スイッチ回路と、第１スイッチ回路のＯＮ／ＯＦＦ動作に対応してＯＮ／ＯＦＦ動作する第２スイッチ回路と、を電源ラインとグランドラインとの間に配置すると共に、前記制御出力信号の論理レベルと、前記第２スイッチ回路の出力信号の論理レベルとを論理比較して不正行為を検出する検知回路を設けたことを特徴とする。
【０００９】
本発明の遊技媒体は、典型的には、遊技球又は遊技メダルである。また、前記電源ラインを通して伝送される電源電圧は、前記外部機器において生成される。この電源電圧の電圧値は、ノイズマージンを確保する意味で、１２Ｖ〜１８Ｖが適当である。
【００１０】
第1スイッチ回路は、好ましくは、接続コネクタから前記制御出力信号を受けている。このような構成は、検知位置が違法行為に近い点で優れている。
【００１１】
第１スイッチ回路は、好ましくは、前記制御出力信号をゲート端子に受けるＦＥＴで構成されている。このような構成は、正常状態では、第1スイッチ回路に電流が流れず、本来の回路に影響を与えない点で優れている。ここで、前記ＦＥＴは、典型的にはＰチャネルＭＯＳＦＥＴである。
【００１２】
第２スイッチ回路は、好ましくは、フォトカプラで構成されている。このような構成を採ることで、第２スイッチ回路の入出力間を電気的に分離することができる。同様の理由から、前記制御出力信号は、フォトカプラを経由して、論理レベルを維持した状態で前記接続コネクタに伝送されるのが好ましい。なお、前記検知回路は、排他的ＯＲ動作をするよう構成されているのが典型的である。
【００１３】
また、本発明は、好ましくは、遊技媒体の払出動作を遊技機に指示する指示信号と、貸出し依頼操作に対応するスイッチ信号との論理関係を判定して、前記払出動作を開始するよう構成される。なお、本発明は、遊技者から遊技媒体の貸出し依頼操作を受けると、遊技媒体の払出動作を遊技機に指示すると共に、前記払出動作に対応する清算処理を実行する外部機器に接続可能に構成された遊技機であって、前記貸出し依頼操作に対応するスイッチ信号を前記外部機器に伝送する接続コネクタとは別に、前記払出動作の指示信号を前記外部機器から受ける接続コネクタを設け、前記指示信号とスイッチ信号との論理関係を判定して、前記払出動作を開始するよう構成されても良い。
【発明の効果】
【００１４】
上記した本発明によれば、球貸し機と遊技機とを接続する接続コネクタの隙間を悪用する違法行為を確実に排除できる。
【図面の簡単な説明】
【００１５】
【図１】実施例に係るパチンコ機の全体構成を示すブロック図である。
【図２】払出制御基板の周辺回路（ａ）とステッピングモータの動作原理（ｂ）を図示したものである。
【図３】払出制御基板の内部構成を示すブロック図である。
【図４】払出制御基板のインタフェイス回路を示す回路図である。
【図５】不正監視回路を設けない回路図である。
【図６】玉貸し機と遊技機との通信手順を示すタイムチャートである。
【図７】別に実施例を示す回路図である。
【図８】実施例に係るパチンコ機の斜視図である。
【図９】図８のパチンコ機の側面図である。
【図１０】図８のパチンコ機の遊技盤の正面図である。
【図１１】図８のパチンコ機の背面図である。
【発明を実施するための形態】
【００１６】
以下、本発明の実施例について詳細に説明する。図１は、実施例に係るパチンコ機の全体回路構成を示すブロック図である。図中の破線は、主に、直流電圧ラインを示している。
【００１７】
図示の通り、このパチンコ機は、ＡＣ２４Ｖを受けて各種の直流電圧やシステムリセット信号ＳＹＳやＲＡＭクリア信号ＣＬＲなどを出力する電源基板７と、遊技制御動作を中心統括的に担う主制御基板１と、主制御基板１から受けた制御コマンドＣＭＤ’に基づいてランプ演出及び音声演出を実行する演出制御基板２と、演出制御基板２から受けた信号を各部に伝送する演出インタフェイス基板３と、演出インタフェイス基板３から受けた制御コマンドＣＭＤ”に基づいて液晶ディスプレイＤＩＳＰを駆動する液晶制御基板４と、主制御基板１から受けた制御コマンドＣＭＤに基づいて払出モータＭを制御して遊技球を払出す払出制御基板５と、遊技者の操作に応答して遊技球を発射させる発射制御基板６とを中心に構成されている。
【００１８】
ここで、払出制御基板５は球貸し機２２に接続されており、球貸し機２２は、ここに投入された現金の範囲で、払出制御基板５による球貸し動作を実現している。このような動作を実現するため、払出制御基板５は、球貸し機２２から２つの制御信号ＢＲＤＹ，ＢＲＱを受ける一方、球貸し機２２に対して、２つの制御信号ＥＸＳ，ＰＲＤＹを出力している。
【００１９】
発射制御基板６には、発射ハンドル３０が接続されており、その回転位置に対応する強度の駆動電流が、ロータリソレノイドＳＬ１に間欠的に供給されることで遊技球が発射されている。なお、球送りソレノイドＳＬ２が、同じタイミングで間欠的に通電されることで、遊技球が連続的に発射位置に供給され、１分間に１００個程度の速度で遊技球が発射される。
【００２０】
主制御基板１、演出制御基板２、液晶制御基板４、及び払出制御基板５には、ワンチップマイコンを備えるコンピュータ回路がそれぞれ搭載されている。そこで、主制御基板１、演出制御基板２、液晶制御基板４、及び払出制御基板５に搭載された回路、及びその回路によって実現される動作を機能的に総称して、本明細書では、主制御部１、演出制御部２、液晶制御部４、及び払出制御部５と言うことがある。なお、演出制御部２、液晶制御部４、及び払出制御部５の全部又は一部がサブ制御部である。
【００２１】
主制御部１は、払出制御部５に対して制御コマンドＣＭＤを一方向に送信する一方、払出制御部５からは、遊技球の払出動作を示す賞球計数信号や、払出動作や球貸し動作の異常に係わるステイタス信号ＣＯＮを受信している。ステイタス信号ＣＯＮには、補給切れ信号、満杯球詰り信号の他に、遊技球の異常な払出動作を示す異常信号ＥＲＲが含まれている。
【００２２】
図１に示す通り、主制御部１と払出制御部５には、電源基板７から、直流５Ｖのバックアップ電源ＢＵが供給されている。したがって、営業終了や停電により交流電源２４Ｖが遮断された後も、ワンチップマイコン内部のＲＡＭのデータは保持される。本実施例では、少なくとも数日は、ＲＡＭの記憶内容が保持されるよう設計されている。
【００２３】
また、電源基板７は、交流電源２４Ｖの遮断時に、主制御部１及び払出制御部５に、電圧降下信号ＡＢＮを出力するよう構成されている。電圧降下信号ＡＢＮは、この実施例では、各ワンチップマイコンの割込み端子ではなく、入力ポートに供給されている。そして、主制御部１及び払出制御部５では、フラグセンス方式によって、電圧降下信号ＡＢＮのレベル降下を把握した後、必要なデータをＲＡＭに退避している。そのため、上記したバックアップ電源ＢＵの作用とあいまって、主制御部１と払出制御部５では、営業開始時や停電からの復旧時に、電源遮断前の動作を再開できることになる。
【００２４】
更にまた、電源基板７は、主制御部１と払出制御部５に対して、係員のスイッチ操作を示すＲＡＭクリア信号ＣＬＲを出力している。このスイッチ操作は、主に電源投入時に実行されるが、バックアップ電源ＢＵによって保持されているＲＡＭの記憶内容を消去させるための操作である。したがって、各制御基板１，５では、ＲＡＭクリア信号ＣＬＲのレベルを判定することによって、係員によるスイッチ操作の有無を把握できることになる。
【００２５】
図２（ａ）は、払出制御基板５の周辺回路を図示したものである。図示の通り、払出制御部５は、電源基板７から直流電源電圧（バックアップ電源ＢＵを含む）だけでなく、払出制御部５（ワンチップマイコン）のＲＡＭをクリアするためのＲＡＭクリア信号ＣＬＲと、交流電源の電圧降下を示す電圧降下信号ＡＢＮと、システムリセット信号ＳＹＳなどを受けている。
【００２６】
また、払出制御部５には、球貸し動作に関連する３桁の数値を示す残金表示部３２ａと、球貸しスイッチ３２ｂと、返却スイッチ３２ｃとを有する回路基板が設けられており、払出制御部５は、この回路基板と球貸し機２２の間に位置して必要な信号を中継している。そして、球貸しスイッチ３２ｂが押圧される毎に、球貸し機２２が預かっている現金が消費され、残金表示部３２ａの表示内容が減算されると共に所定個数（例えば、５００円に対して１２５個）の遊技球が払出される。
【００２７】
何れにしても、払出制御部５は、遊技球の入賞に伴う賞球として、或いはまた、球貸し機２２で清算される貸球として、所定数の遊技球を払出す必要がある。そこで、ステッピングモータたる払出モータＭに駆動パルスデータΦ１〜Φ４を出力し（図２（ｂ）参照）、払出モータＭの回転に伴って払出される遊技球を、左右の計数スイッチＲＳＷ，ＬＳＷで検出するようにしている。なお、図２（ａ）に示す通り、左右の計数スイッチＲＳＷ，ＬＳＷの信号は、主制御基板１にも、ステイタス信号ＣＯＮの一部として伝送される。
【００２８】
また、払出制御部５には、補給切れ状態や、満杯球詰り状態を検出するスイッチ信号が供給される。ここで、補給切れ状態とは、払出モータＭの上流側から供給される遊技球が途絶え、賞球動作や球貸し動作が事実上不可能となる状態を意味する。また、満杯球詰り状態とは、払出モータＭの下流側が一杯となり、それ以上の払出しが事実上不可能となる状態を意味する。
【００２９】
また、払出制御部５は、球貸し機２２とも接続され、球貸し動作に係わる各種の制御信号（ＢＲＤＹ，ＢＲＱ，ＥＸＳ，ＰＲＤＹ）を送受している。ここで、ＢＲＤＹ信号は、球貸し動作中であることを球貸し機２２から遊技機に伝達する信号である。また、ＢＲＱ信号は、一単位分の貸出し動作を、球貸し機２２から遊技機に要求する信号である。
【００３０】
一方、ＰＲＤＹ信号は、球貸し機２２に、遊技機が球貸し動作可能であることを伝達する信号である。また、ＥＸＳ信号は、一単位分の貸出し動作を終了したことを、球貸し機２２に伝達する信号である。更に、払出制御部５は、球貸し機２２から電源電圧ＶＬ（＝１８Ｖ）を受けており、この電圧値を正常に受信できることを条件に、発射制御基板６に許可信号ＣＴＬを出力して発射動作を許可している。なお、この実施例では、球貸し機２２が、独自に電源電圧ＶＬを生成しているが、この構成に代えて、払出制御基板５から球貸し機２２に交流電圧（＝ＡＣ２４Ｖ）を伝送し、この交流電圧を整流して電源電圧ＶＬを生成しても良い。
【００３１】
図６は、払出制御部５と玉貸し機２２との通信手順を図示したものである。遊技機に電源が投入されると、払出制御部５は、ＰＲＤＹ信号をアクティブレベル（Ｌ）に変化させ、その後、玉貸し機２２が玉貸しスイッチのＯＮ操作を把握すると、玉貸し機２２は、先ず、ＢＲＤＹ信号をアクティブレベル（Ｌ）に変化させ（動作１）、続いて、ＢＲＱ信号をアクティブレベル（Ｌ）に変化させる（動作２）。
【００３２】
そして、払出制御部５がアクティブレベルのＢＲＱ信号を把握して、ＥＸＳ信号をアクティブレベル（Ｌ）に変化させると（動作３）、これを把握した玉貸し機２２が、ＢＲＱ信号を元のレベルに戻す（動作４）。すると、払出制御部５は、玉貸し動作を開始して、一単位（例えば２５個）の遊技球を払出す。そして、払出動作を終えると、ＥＸＳ信号を元のレベルに戻すことで、一単位の払出動作完了を玉貸し機２２に通知する（動作５）。
【００３３】
通常、玉貸しスイッチの一回のＯＮ操作で、１２５個の遊技球が払出されるが、そのような場合には、玉貸し機２２は、ＨレベルのＥＸＳ信号に対応して、ＢＲＱ信号をアクティブレベルに変化させるので（動作６）、その後も、前記した（動作３）〜（動作５）の処理が繰り返される。そして、このような処理を５回繰り返して、１２５個の遊技球が払出されると、玉貸し機２２のＢＲＱ信号のレベルが変化しないことで、一連の玉貸し処理が完全に完了する（初期状態０）。
【００３４】
以上の通り、払出制御部５は、ＢＲＤＹ信号がアクティブレベルの状態で、ＢＲＱ信号のレベルが、Ｈ→Ｌ→Ｈと変化する毎に、一単位の遊技球を何回でも払出すことになる。そのため、この動作手順を悪用して違法に遊技球を取得する違法行為も懸念されるが、本実施例では、不正監視回路を設けることで、このような違法行為を確実に排除している。
【００３５】
この不正監視回路に先立って、図３を参照しつつ、払出制御部５の内部構成から説明する。図示の通り、払出制御部５は、主制御部１から制御コマンドＣＭＤを受ける入力バッファ１０と、各種のスイッチ信号や制御信号ＣＬＲ，ＡＢＮを受ける第１入力ポート１３Ａと、第２入力ポート１２と、第３入力ポート１３Ｂと、Ｚ８０ＣＰＵ相当品を内蔵するワンチップマイコン１４と、入出力ポートのチップセレクト信号を生成するデコーダ１５と、第１出力ポート１６と、第２出力ポート１７と、第１出力ポート１６から受けた駆動信号を払出モータＭに供給するトランジスタ群（オープンコレクタ）１８とを中心に構成されている。
【００３６】
第３入力ポート１３Ｂは、球貸し機２２からフォトカプラ部とインバータとを経由して、２つの制御信号ＢＲＤＹ，ＢＲＱを受けている。また、第１入力ポート１３Ａには、計数スイッチ、補給切れ検出スイッチ、及び、満杯球詰り検出スイッチからのスイッチ信号が供給されている。また、第１入力ポート１３Ａには、電源基板７からの制御信号である、ＲＡＭクリア信号ＣＬＲと、電圧降下信号ＡＢＮも供給されている。なお、この実施例では、入力バッファ１０、第１と第２と第３の入力ポート１２，１３Ａ，１３Ｂは、７４５４１相当品のバスバッファで構成され、デコーダは、７４１３８相当品で構成されている。また、出力ポート１６，１７は、７４２７３相当品のＤ型フリップフロップで構成されている。
【００３７】
第２入力ポート１２には、バスバッファ１０を経由して、主制御基板１から制御コマンドＣＭＤが供給されるが、主制御基板１は、制御コマンドＣＭＤの供給に合わせてストローブ信号ＳＴＢが供給される。このストローブ信号ＳＴＢは、ＣＰＵコアの割込み端子(maskable interrupt)に供給されるので、これに応じて、払出制御基板５では受信割込みルーチンが起動し、制御コマンドＣＭＤを取得するようになっている。
【００３８】
第１出力ポート１６のｂｉｔ３〜ｂｉｔ０からは、（Φ４，Φ３，Φ２，Φ１）＝１１００→０１１０→００１１→１００１→１１００→・・・の駆動パルスデータが時間順次に払出モータＭに出力される（図２（ｂ）参照）。また、第１出力ポート１６のｂｉｔ４にはＬＥＤ駆動信号が出力され、異常ランプＥＲ２が点灯される。なお、第１出力ポート１６のｂｉｔ７には、不図示のウォッチドッグタイマ回路のクリア信号が所定時間毎に出力されるようになっている。
【００３９】
第２出力ポート１７のｂｉｔ０からは、ホールコンピュータに伝送される異常信号ＥＲＲが出力され、これが異常レベルであれば、警報ランプＥＲ１が点灯される。また、第２出力ポート１７のｂｉｔ１とｂｉｔ２からは、主制御部１に対して、補給切れ信号と満杯球詰り信号とが出力される。一方、第２出力ポート１７のｂｉｔ６，ｂｉｔ７からは、球貸し機２２に対して、制御信号ＰＲＤＹ，ＥＸＳが出力される。この制御信号ＰＲＤＹ，ＥＸＳは、インバータとフォトカプラ部とを経由して球貸し機２２に伝送される。
【００４０】
図示の通り、２つのフォトカプラ部を含んでインタフェイス回路ＩＦが構成され、接続コネクタＣＮを経由して球貸し機２２に接続されている。２つのフォトカプラ部は、球貸し機２２と共通するグランドラインＬＧを有し、球貸し機２２から供給される電源電圧ＶＬに基づいて動作している。このインタフェイス回路ＩＦには、違法行為を検出するための不正監視回路が設けられている。
【００４１】
図４は、インタフェイス回路ＩＦ（図３）と、球貸し機２２の一部と、両者を接続する接続コネクタＣＮとを示す回路図である。接続コネクタＣＮは、玉貸し機２２と払出制御部５との間で、６本の配線ケーブルを連結するが、ここを経由して送受信される信号は、払出制御部５から評価すると、電源電圧（＝１８Ｖ）入力ＶＬ、グランド入力ＬＧ、ＢＲＤＹ信号入力、ＢＲＱ信号入力、ＰＲＤＹ信号出力、及びＥＸＳ信号出力となる。
【００４２】
そして、払出制御部５（インタフェイス回路ＩＦ）には、制御信号ＰＲＤＹ，ＥＸＳ，ＢＲＤＹ，ＢＲＱ，ＰＯＵＴに対応する５個のフォトカプラＰＣ１〜ＰＣ５が設けられている。制御信号ＰＯＵＴは、電源電圧ＶＬが球貸し機２２から出力されていることを示す信号であり、発射制御基板６に出力される許可信号ＣＴＬに対応している。
【００４３】
フォトカプラＰＣ２の発光ダイオードは、電流制限抵抗Ｒ７を介して、アノード端子に直流電圧ＤＣ５Ｖを受けると共に、カソード端子に制御信号ＥＸＳを受けている。そのため、制御信号ＥＸＳがＬレベルであると、フォトカプラＰＣ２のフォトトランジスタがＯＮ動作する。
【００４４】
一方、フォトカプラＰＣ２のフォトトランジスタのコレクタ端子は、コレクタ抵抗Ｒ２を経由して接続コネクタＣＮに接続されて、更に、球貸し機２２の電流制限抵抗Ｒ９を経由して、フォトカプラＰＣ６の発光ダイオードのカソード端子に接続されている。そのため、制御信号ＥＸＳがＬレベルであると、フォトカプラＰＣ２及びフォトカプラＰＣ６がＯＮ動作する。
【００４５】
以上の点は、フォトカプラＰＣ１についても同様である。すなわち、フォトカプラＰＣ１の発光ダイオードは、電流制限抵抗Ｒ６を介して、アノード端子に直流電圧ＤＣ５Ｖを受けると共に、制御信号ＰＲＤＹをカソード端子に受けている。一方、フォトカプラＰＣ１のフォトトランジスタは、コレクタ抵抗Ｒ１を通して、接続コネクタＣＮに接続されている。なお、球貸し機２２側の回路を省略しているが、フォトカプラＰＣ６と同様の回路構成となっている。したがって、制御信号ＰＲＤＹがＬレベルであると、フォトカプラＰＣ１と共に、球貸し機２２側のフォトカプラ（不図示）がＯＮ動作する。
【００４６】
一方、フォトカプラＰＣ３〜ＰＣ５の発光ダイオードのカソード端子には、各々、接続コネクタＣＮを経由して、玉貸し機２２から、制御信号ＢＲＤＹ、制御信号ＢＲＱ、及び、グランド信号ＬＧが供給されている。また、発光ダイオードのアノード端子には、各々、電流制限抵抗Ｒ３〜Ｒ５を経由して電源電圧ＶＬが供給されている。ここで、制御信号ＢＲＤＹと制御信号ＢＲＱは、球貸し機２２のフォトカプラＰＣ７，ＰＣ８から供給され、フォトカプラＰＣ３〜ＰＣ５のグランドＬＧは、払出球貸し機２２の出力側回路のグランドＬＧと共通している。
【００４７】
そのため、制御信号ＢＲＤＹと、制御信号ＢＲＱが、各々、アクティブレベル（Ｌレベル）であると、フォトカプラＰＣ３〜ＰＣ４のフォトトランジスタがＯＮ動作して、同じ論理レベル（Ｌレベル）の制御信号ＢＲＤＹと制御信号ＢＲＱが出力される。なお、断線などの機器トラブルでない限り、検知信号ＰＯＵＴは、常にＬレベルである。
【００４８】
また、この実施例では、払出制御部５から出力される制御信号ＥＸＳの電圧レベルを監視する不正監視回路ＷＡＴＣＨが設けられている。この不正監視回路ＷＡＴＣＨは、ＰチャネルＭＯＳトランジスタＱａと、フォトカプラＰＣａと、ＸＯＲゲートＧＴとを主要要素としている。
【００４９】
ＸＯＲゲートＧＴは、フォトカプラＰＣａのフォトトランジスタのコレクタ出力Ｖｃと、フォトカプラＰＣ２の発光ダイオードに供給される制御信号ＥＸＳとを受け、不正検知信号ＤＥＴを出力している。なお、正常時には、不正検知信号ＤＥＴ＝Ｌレベルであり、不正検知時には、不正検知信号ＤＥＴ＝Ｈレベルとなる。
【００５０】
図示の通り、トランジスタＱａのゲート端子は、ゲート抵抗Ｒａを経由して、接続コネクタＣＮの制御信号ＥＸＳを受けている。また、トランジスタＱａのソース端子は、接続コネクタＣＮの電源電圧ＶＬを受けており、ドレイン端子は、電流制限抵抗Ｒｂを経由してフォトカプラＰＣａの発光ダイオードに接続されている。
【００５１】
そのため、接続コネクタＣＮにおいて、制御信号ＥＸＳの電圧レベルＶｏが高く、電源電圧ＶＬに近似するレベルである場合には、トランジスタＱａがＯＦＦ状態となり、逆に、制御信号ＥＸＳの電圧レベルＶｏが低い場合には、トランジスタＱａがＯＮ状態となる。
【００５２】
ここで、フォトカプラＰＣ２に供給される制御信号ＥＸＳがＬレベルである場合を想定する。このような場合には、フォトカプラＰＣ２がＯＮ動作するので、接続コネクタＣＮにおける制御信号ＥＸＳの電位Ｖｏは、ＯＮ状態のフォトトランジスタのＶｃｅ＝０と仮定して、Ｖｏ＝（ＶＬ−ＶＦ）＊Ｒ２／（Ｒ２＋Ｒ９）となる。なお、Ｖｆは発光ダイオードにおける電圧降下である。
【００５３】
この実施例では、ＶＬ＝１８Ｖ、Ｒ２＝Ｒ９に設定されているので、フォトカプラＰＣ２に供給される制御信号ＥＸＳがＬレベルである場合、接続コネクタＣＮにおける制御信号ＥＸＳの電位Ｖｏは、Ｖｆ≒１．２Ｖとして、ほぼ（ＶＬ−Ｖｆ）／２≒８．４Ｖとなる。
【００５４】
一方、フォトカプラＰＣ２に供給される制御信号ＥＸＳがＨレベルである場合には、フォトカプラＰＣ２がＯＦＦ動作するので、接続コネクタＣＮにおける制御信号ＥＸＳの電位Ｖｏは、電源電圧ＶＬ＝１８Ｖとほぼ同一レベルとなる。
【００５５】
以上を踏まえてトランジスタＱａの動作を確認すると、制御信号ＥＸＳがＬレベルであって、Ｖｏ≒８．４Ｖの場合には、トランジスタＱａがＯＮ動作してフォトカプラＰＣａがＯＮ状態となる。そのため、フォトカプラＰＣａのフォトトランジスタのコレクタ電位Ｖｃは、Ｌレベルとなる。
【００５６】
逆に、制御信号ＥＸＳがＨレベルであって、Ｖｏ≒ＶＬ＝１８Ｖの場合には、トランジスタＱａがＯＦＦ動作してフォトカプラＰＣａもＯＦＦ状態となる。そのため、フォトカプラＰＣａのフォトトランジスタのコレクタ電位Ｖｃは、Ｈレベルとなる。
【００５７】
これら制御信号ＥＸＳとコレクタ電位Ｖｃは、ＸＯＲゲートＧＴに供給されているが、２つの入力信号（ＥＸＳ，Ｖｃ）は、常に、同一論理レベルとなり、正常時には、ＸＯＲゲートからはＬレベルの信号が出力される。
【００５８】
次に、違法行為を想定すると、違法行為時には、図５の制御手順を偽装すると思われる。但し、接続コネクタＣＮを外して、違法回路基板を取り付けることまでは、普通は有り得ず、最も可能性が高いのは、接続コネクタＣＮの隙間に短絡片を差し込むことである。具体的には、図５の制御手順を偽造するべく、接続コネクタＣＮの位置で、ＢＲＤＹ信号をグランドレベルに維持してＢＲＱ信号のレベルを切換えると思われる。また、玉貸し機２２での異常検知を防止するため、接続コネクタＣＮの位置で、ＥＸＳ信号を電源電圧ＶＬレベルに維持すると思われる。
【００５９】
不正監視回路ＷＡＴＣＨを設けない場合には、図５に示す通り、フォトカプラＰＣ２のＯＮ／ＯＦＦ状態に拘らず、接続コネクタＣＮでの制御信号ＥＸＳの電圧レベルＶｏは、ＶＬに固定される。そのため、払出制御部５のフォトカプラＰＣ２がＯＮ／ＯＦＦ動作を繰り返して玉貸し動作を繰り返しても、玉貸し機２２のフォトカプラＰＣ６は、ＯＦＦ状態を維持することになり、玉貸し機２２において、違法行為を検出することはできない。
【００６０】
なお、玉貸し機２２が違法行為を検出できない点では、図４の回路構成でも同じである。しかし、不正監視回路ＷＡＴＣＨを設けた本実施例では、Ｖｏ＝ＶＬの状態が維持されると、トランジスタＱａがＯＦＦ状態を維持し、フォトカプラＰＣａのコレクタ出力ＶｃがＨレベルを維持することになる。
【００６１】
この場合、フォトカプラＰＣ２の発光ダイオードに供給されるＥＸＳ信号は、ＨレベルとＬレベルとを切換えるのに対して、コレクタ出力ＶｃがＨレベルを維持するので、玉貸し動作を開始しようとする瞬間（図６の動作３）に、ＸＯＲゲートＧＴの出力ＤＥＴが異常レベル（Ｈレベル）に変化して不正行為が検出される。
【００６２】
なお、ＸＯＲゲートＧＴの出力側の回路構成は任意であるが、例えば、不正検知信号ＤＥＴの立ち上がりエッジを保持するラッチ回路を設けるだけで、その後も、継続して異常状態の検出状態を保持することができる。
【００６３】
何れにしても、不正検知信号ＤＥＴは、払出制御部５のワンチップマイコン１４を経由して、異常信号ＥＲＲとして、主制御部１に通報される（図３参照）。したがって、画像報知や音声報知によって異常事態の発生を遊技機の周りに周知させることができる。また、異常信号ＥＲＲは、ホールコンピュータにも通報されるので係員を不正現場に急行させることもできる。
【００６４】
以上、実施例に基づいて詳細に説明したが、具体的な記載内容は、何ら、本発明を限定するものではない。例えば、上記の実施例では、不正検知信号ＤＥＴに基づいて警報動作を実行したが、これに代えて、或いは、これに加えて、遊技球の払出動作を停止するのが好ましい。
【００６５】
すなわち、払出制御部５は、制御信号ＢＲＤＹ，ＢＲＱ，ＰＲＤＹ，ＥＸＳの論理関係を時間順次に判定して、不合理がないこと条件に、図６に示す（動作１）→（動作２）→（動作３）・・・の処理を進めると共に、適宜なタイミングで不正検知信号ＤＥＴチェックして、異常時には払出動作を停止するのが好ましい。
【００６６】
また、前記の実施例では、もっぱら、制御信号ＥＸＳに着目して不正行為を検知したが、何ら、制御信号ＥＸＳの限定されるものではない。例えば、玉貸しスイッチ３２ｂが押圧された後に、制御信号ＢＲＤＹが立下がった場合だけ、その後の処理に移行するようプログラム処理を実行するのも好適である。
【００６７】
図７は、このような実施例の要部を図示したものであり、払出制御部５（度数表示基板）に配置された玉貸しスイッチ３２ｂのスイッチ信号ＳＷを、入力ポートを経由してワンチップマイコン１４に帰還させている。
【００６８】
なお、玉貸しスイッチ３２ｂは、玉貸し機２２において、電流制限抵抗を経由してフォトカプラに接続されている。図示の通り、スイッチ信号ＳＷは、そのＯＮ時は０ボルトであるが、ＯＦＦ時は、ＶＬ（＝１８Ｖ）ボルトとなる。そのため、スイッチ信号ＳＷは、図４の不正監視回路ＷＡＴＣＨと同様の回路によって、適宜にレベルシフトしてワンチップマイン１４に伝送される。そして、この実施例では、払出制御部５がＢＲＤＹ信号の立下がりを検出すると（図６のタイミング（１））、玉貸しスイッチ３２ｂがＯＮ状態であることを条件に、次の処理に移行させるよう制御している。
【００６９】
このような制御は、これ単独で実行しても良いし、先の実施例に追加して実行しても良い。後者の構成の場合、玉貸しスイッチ３２ｂの操作と、全く別の箇所にある接続コネクタＣＮとを同期して偽装操作するのが困難であるので、特に優れた防犯機能を発揮する。
【００７０】
また、玉貸しスイッチ３２ｂのスイッチ信号ＳＷを帰還させる構成に代えて、７セグメントＬＥＤの度数表示信号ＳＥＧａ〜ＳＥＧｇの全部又は一部を、ワンチップマイコンに帰還させ、そのデータが払出動作に対応して変化するか否かを判定しても良い。但し、この対策は、簡易性に欠ける点が問題である。
【００７１】
最後に、本実施例の適用対象である弾球遊技機について確認的に説明する。図８は、本実施例のパチンコ機２１を示す斜視図であり、図９は、同パチンコ機２１の側面図である。なお、パチンコ機２１は、球貸し機２２に電気的に接続された状態で、パチンコホールの島構造体の長さ方向に複数個が配設されている。球貸し機２２は、遊技開始に先立って現金を受け取り、遊技終了時には、残金に対応する数値を記憶したカードを排出するようになっている。
【００７２】
図示のパチンコ機２１は、島構造体に着脱可能に装着される矩形枠状の木製外枠２３と、外枠２３に固着されたヒンジＨを介して開閉可能に枢着される前枠２４とで構成されている。この前枠２４には、遊技盤２５が裏側から着脱自在に装着され、その前側には、ガラス扉２６と前面板２７とが夫々開閉自在に枢着されている。
【００７３】
前面板２７には発射用の遊技球を貯留する上皿２８が装着され、前枠２４の下部には、上皿２８に連通した下皿２９と、発射ハンドル３０とが設けられている。この実施例では、発射ハンドル３０の回動角度に対応して、ロータリソレノイドＳＬ１の駆動電流が変化するよう構成されており、ロータリソレノイドＳＬ１の駆動電流に対応する強度で、打撃槌３１が間欠的に動作して遊技球が発射される。なお、上皿２８の遊技球は、打撃槌３１による発射位置に誘導される一方、溢れた遊技球は自動的に下皿２９に誘導される。
【００７４】
上皿２８の右部には、球貸し機２２に対する球貸し操作用の操作パネル３２が設けられ、この操作パネル３２には、球貸し機２２の残金の１／１００の値を３桁の数字で表示する残金表示部３２ａと、所定金額（例えば５００円）分の遊技球の球貸しを指示する球貸しスイッチ３２ｂと、ゲーム終了時に押圧される返却スイッチ３２ｃとが設けられている。なお、返却スイッチ３２ｃを押圧すると、残金に対応するカードが球貸し機２２から排出される。
【００７５】
ガラス扉２６の上部には、大当り状態を示す大当りＬＥＤランプＰ１が配置されている。また、この大当りＬＥＤランプＰ１に近接して、補給切れ状態や満杯球詰り状態を示す異常報知ＬＥＤランプＰ２，Ｐ３が設けられている。
【００７６】
図１０に示すように、遊技盤２５には、金属製の外レールと内レールとからなるガイドレール３３が環状に設けられ、その内側の遊技領域２５ａの略中央には、表示装置８（具体的には液晶カラーディスプレイ）が配置されている。また、遊技領域２５ａの適所には、図柄始動口３５、大入賞口３６、複数個の普通入賞口３７（大入賞口３６の左右に４つ）、２つの通過口であるゲート部３８が配設されている。これらの入賞口３５〜３８は、それぞれ内部に検出スイッチを有しており、遊技球の通過を検出できるようになっている。
【００７７】
表示装置８は、大当り状態に係わる特定図柄を変動表示すると共に背景画像や各種のキャラクタなどをアニメーション的に表示する装置である。この表示装置８は、中央部に特別図柄表示部Ｄａ〜Ｄｃと右上部に普通図柄表示部３９を有している。普通図柄表示部３９は普通図柄を表示するものであり、ゲート部３８を通過した遊技球が検出されると、表示される普通図柄が所定時間だけ変動し、遊技球のゲート部３８の通過時点において抽出された抽選用乱数値により決定される停止図柄を表示して停止するようになっている。
【００７８】
図柄始動口３５は、左右１対の開閉爪３５ａを備えた電動式チューリップで開閉されるよう例えば構成され、普通図柄表示部３９の変動後の停止図柄が当り図柄を表示した場合には、開閉爪３５ａが所定時間だけ開放されるようになっている。そして、図柄始動口３５に遊技球が入賞すると、特別図柄表示部Ｄａ〜Ｄｃの表示図柄が所定時間だけ変動し、図柄始動口３５への遊技球の入賞タイミングに応じた抽選結果に基づいて決定される停止図柄で停止する。
【００７９】
大入賞口３６は、例えば前方に開放可能な開閉板３６ａで開閉制御されるが、特別図柄表示部Ｄａ〜Ｄｃの図柄変動後の停止図柄が「７７７」などの大当り図柄のとき、「大当り」と称する特別遊技が開始され、開閉板３６ａが開放されるようになっている。大入賞口３６の内部には入賞球を検出する入賞領域３６ｂが存在する。
【００８０】
大入賞口３６の開閉板３６ａが開放された後、所定時間が経過し、又は所定数（例えば１０個）の遊技球が入賞すると開閉板３６ａが閉じる。このとき、最大で例えば１５回まで特別遊技が継続され、遊技者に有利な状態に制御される。さらに、変動後の停止図柄が特別図柄のうちの特別状態発生図柄であった場合には、特別状態を発生させる。
【００８１】
図１１に示すように、前枠２４の裏側には、遊技盤２５を裏側から押さえる裏機構板４０が着脱自在に装着されている。この裏機構板４０には開口部４０ａが形成され、その上側に賞球タンク４１と、これから延びるタンクレール４２とが設けられている。裏機構板４０の側部には、タンクレール４２に接続された払出装置４３が設けられ、裏機構板４０の下側には払出装置４３に接続された通路ユニット４４が設けられている。払出装置４３から払出された遊技球は、通路ユニット４４を経由して上皿排出口２８ａ（図８）から上皿２８に払出されることになる。
【００８２】
裏機構板４０の開口部４０ａには、遊技盤２５の裏側に装着された裏カバー４５と、入賞口３５〜３７に入賞した遊技球を排出する入賞球排出樋（不図示）とが嵌合されている。この裏カバー４５に装着されたケースＣＡ１の内部に主制御基板１が配設される（図１１参照）。
【００８３】
これらケースＣＡ２，ＣＡ３の下側で、裏機構板４０に装着されたケースＣＡ４の内部には、電源基板７と払出制御基板５が設けられている。この電源基板７には、電源スイッチ５３とＲＡＭクリアスイッチ５４とが配置されている。これら両スイッチ５３，５４に対応する部位は切欠かれ、両スイッチを指で同時に操作可能になっている。発射ハンドル３０の後側に装着されたケースＣＡ５の内部には、発射制御基板６が設けられている。
【００８４】
以上、本発明の実施例について具体的に説明したが、記載内容は特に本発明を限定するものではない。例えば、実施例では、弾球遊技機について説明したが、パチンコ機、アレンジボール機、雀球遊技機のみならず、メダルを用いる回胴遊技機や、遊技球を用いる回胴遊技機にも適用できるのは勿論である。
【符号の説明】
【００８５】
２１      遊技機
２２      外部機器
ＣＮ      接続コネクタ
Ｑａ      第１スイッチ回路
ＰＣａ    第２スイッチ回路
ＧＴ      検知回路
【図１】
2011030926.tif 000003
【図２】
2011030926.tif 000004
【図３】
2011030926.tif 000005
【図４】
2011030926.tif 000006
【図５】
2011030926.tif 000007
【図６】
2011030926.tif 000008
【図７】
2011030926.tif 000009
【図８】
2011030926.tif 000010
【図９】
2011030926.tif 000011
【図１０】
2011030926.tif 000012
【図１１】
2011030926.tif 000013